(57)【要約】【課題】基板と蒸着マスクとを離間状態で相対移動させる構成でありながら、低コストで軽量なマスクフレームとなり、蒸着マスクの交換などが極めて容易となると共に、また温度上昇も抑制でき温度上昇による蒸着パターンズレがない高精度な蒸着が行える蒸着装置を提供すること。【解決手段】蒸発粒子の飛散方向を制限する飛散制限部を備えたマスクホルダー６及び蒸発源１に対して、このマスクホルダー６に設けた蒸着マスク２との離間状態を保持したまま基板４を相対移動して、蒸着マスク２より広い範囲に蒸着する装置であって、マスクホルダー６を、蒸着マスク２を付設するマスクフレーム６Ａと、前記飛散制限部及び温度制御機構９を備えたマスクフレームホルダー６Ｂとに分割した構成として、このマスクフレームホルダー６Ｂに接触配設させたマスクフレーム６Ａを離脱させて取り外し自在に構成した蒸着装置。【選択図】図１
2014065936.tif 000002
【特許請求の範囲】
【請求項１】
蒸発源から気化した成膜材料を、蒸着マスクのマスク開口部を介して基板上に堆積して、この蒸着マスクにより定められた成膜パターンの蒸着膜が基板上に形成されるように構成し、前記蒸発源とこの蒸発源に対向状態に配設する前記基板との間に、前記蒸発源から蒸発した前記成膜材料の蒸発粒子の飛散方向を制限する制限用開口部を設けた飛散制限部を備えたマスクホルダーを配設し、このマスクホルダーに前記基板と離間状態に配設する前記蒸着マスクを付設し、このマスクホルダーに蒸着マスクの温度を保持する温度制御機構を備え、前記基板を、前記蒸着マスクを付設した前記マスクホルダー及び前記蒸発源に対して、前記蒸着マスクとの離間状態を保持したまま相対移動自在に構成して、この相対移動により前記蒸着マスクより広い範囲にこの蒸着マスクにより定められる成膜パターンの蒸着膜が基板上に形成されるように構成した蒸着装置であって、前記マスクホルダーを、前記蒸着マスクを付設するマスクフレームと、前記飛散制限部を備えたマスクフレームホルダーとに分割した構成として、このマスクフレームホルダーに接触配設させた前記マスクフレームを離脱させて取り外し自在に構成し、前記マスクフレームホルダーに前記温度制御機構を設けた構成としたことを特徴とする蒸着装置。
【請求項２】
減圧雰囲気とする成膜室内に、前記成膜材料を収めた前記蒸発源と、この蒸発源の蒸発口部から蒸発した前記成膜材料の蒸発粒子が通過する前記マスク開口部を設けた前記蒸着マスクとを配設し、前記蒸発口部を複数並設し、前記蒸着マスクと離間状態に位置合わせする基板に、前記複数の蒸発口部から飛散する蒸発粒子が前記マスク開口部を通過して堆積し、蒸着マスクにより定められる成膜パターンの蒸着膜が前記基板に形成されるように構成し、この蒸発源とこの蒸発源と対向状態に配設する前記基板との間に、隣接する若しくは離れた位置の前記蒸発口部からの蒸発粒子を通過させない前記制限用開口部を設けた前記飛散制限部を構成する前記マスクフレームホルダーを配設し、このマスクフレームホルダーに、前記基板と離間状態に配設する前記蒸着マスクを接合させて付設したマスクフレームを接触させて配設し、前記マスクフレームホルダーに、前記マスクフレームに付設した蒸着マスクの温度上昇を抑制し温度を一定に保持する前記温度制御機構を設け、前記基板を、前記蒸着マスクを付設した前記マスクフレーム及び前記マスクフレームホルダー及び前記蒸発源に対してこの蒸着マスクとの離間状態を保持したまま相対移動させて、この相対移動方向に前記蒸着マスクの前記成膜パターンの蒸着膜を連続させて前記基板より小さい前記蒸着マスクでも広範囲に蒸着膜が形成されるように構成したことを特徴とする請求項１記載の蒸着装置。
【請求項３】
前記基板の相対移動方向に対して直交する横方向に前記蒸発源の前記蒸発口部を複数並設すると共に、前記マスクホルダーの前記マスクフレームホルダーに、前記制限用開口部を前記横方向に沿って複数並設して前記飛散制限部を構成し、前記各蒸発口部から蒸発する蒸発粒子が、対向する前記制限用開口部のみを通過し更にこの制限用開口部と連通するフレーム開口部を覆う前記蒸着マスクの前記マスク開口部を通過して前記基板上にこのマスク開口部により定められた前記成膜パターンの蒸着膜が形成され、隣り合う若しくは離れた位置の前記蒸発口部からの蒸発粒子は付着捕捉されるようにして、前記飛散制限部により前記蒸発粒子の飛散方向が制限されるように構成したことを特徴とする請求項１，２のいずれか１項に記載の蒸着装置。
【請求項４】
前記マスクフレームホルダーは、前記飛散制限部の前記制限用開口部の前記蒸発源側縁部に、前記蒸発粒子の付着捕捉面を形成した構成としたことを特徴とする請求項１〜３のいずれか１項に記載の蒸着装置。
【請求項５】
前記マスクフレームに、張力を付与して前記蒸着マスクを張設したことを特徴とする請求項１〜４のいずれか１項に記載の蒸着装置。
【請求項６】
前記マスクフレームに、前記基板の相対移動方向に張力を付与して前記蒸着マスクを張設したことを特徴とする請求項５記載の蒸着装置。
【請求項７】
前記マスクフレームは、前記温度制御機構を設けた前記マスクフレームホルダーの前記基板側端部に、離脱自在にしてマスクフレーム移動手段より取り外し自在に接触配設し、前記マスクフレームホルダーに設けた前記温度制御機構により前記マスクフレームに張設した前記蒸着マスクの温度を保持する構成とすると共に、この温度制御機構を備えていない前記マスクフレームを、この温度制御機構を備えた前記マスクフレームホルダーから取り外し自在に構成したことを特徴とする請求項１〜６のいずれか１項に記載の蒸着装置。
【請求項８】
前記蒸着膜を基板上に形成する成膜室と、前記基板の搬送方向と直交する横方向に隣接して配設した交換室とを設けて、この成膜室と交換室間で前記マスクフレームを往来させ、このマスクフレームに付設した前記蒸着マスクを前記交換室で交換自在となるように構成したことを特徴とする請求項７記載の蒸着装置。
【請求項９】
前記マスクフレームは、前記成膜室と前記交換室とを往来移動させるための前記マスクフレーム移動手段が保持するための移動手段用凹部を、前記基板の搬送方向の前後に設けたことを特徴とする請求項８記載の蒸着装置。
【請求項１０】
前記蒸着マスクは、前記基板の相対移動方向と直交する横方向に複数枚に分割した構成とし、この分割した蒸着マスクを前記マスクフレームに前記横方向に並設状態に付設したことを特徴とする請求項１〜９のいずれか１項に記載の蒸着装置。
【請求項１１】
前記蒸発源の前記蒸発口部を前記基板の相対移動方向と直交する横方向に複数並設し、この複数の蒸発口部毎に夫々対向状態に前記制限用開口部を設けた前記飛散制限部を備えた前記マスクホルダーを、前記飛散制限部及び前記温度制御機構を備えた前記マスクフレームホルダーと、前記温度制御機構を備えない前記マスクフレームとに分断した構成として、前記マスクフレームの前記制限用開口部と連通する若しくは前記制限用開口部の一部となるフレーム開口部を覆うように前記蒸着マスクを付設した前記マスクフレームを、前記成膜室内に固定した前記マスクフレームホルダーの前記基板側端部に、取り外し自在にして前記フレーム開口部が前記制限用開口部と連通するように接触配設した構成としたことを特徴とする請求項１〜１０のいずれか１項に記載の蒸着装置。
【請求項１２】
前記マスクフレームのフレーム開口部間に、前記基板側に延在する方向に突出するリブ部を設け、このリブ部の前記基板側先端面と前記マスクフレームの周辺部面に、前記制限用開口部と連通するフレーム開口部を覆うように配設する前記蒸着マスクを支承するマスク取付支承面を設けたことを特徴とする請求項１１記載の蒸着装置。
【請求項１３】
前記マスクフレームの前記リブ部間に形成された前記フレーム開口部と前記飛散制限部の制限用開口部が連通するように構成し、この制限用開口部と連通した開口部を形成する前記リブ部の内側の開口部形成面積より、このリブ部の前記基板側先端面に設けられた前記マスク取付支承面の面積の方が小さい形状となるように前記リブ部を形成したことを特徴とする請求項１２記載の蒸着装置。
【請求項１４】
前記温度制御機構は、前記マスクフレームホルダーの周辺部若しくは前記制限用開口部間に、熱交換して温度制御される媒体を流通させる媒体路を設けた構成としたことを特徴とする請求項１〜１３のいずれか１項に記載の蒸着装置。
【請求項１５】
前記マスクフレームと前記マスクフレームホルダーとの間に、前記マスクフレーム及び前記マスクフレームホルダーより熱伝導率が高い部材で形成した熱伝導体を介在して接触配設したことを特徴とする請求項１〜１４のいずれか１項に記載の蒸着装置。
【請求項１６】
前記熱伝導体は、銅、アルミニウム、銀、インジウム、モリブデン、タングステン、炭素、窒化アルミニウムの少なくとも１種類を含むことを特徴とする請求項１５記載の蒸着装置。
【請求項１７】
前記成膜材料を、有機材料としたことを特徴とする請求項１〜１６のいずれか１項に記載の蒸着装置。
【請求項１８】
前記請求項１〜１７のいずれか１項に記載の蒸着装置を用いて、前記基板上に前記蒸着マスクにより定められた成膜パターンの蒸着膜を形成することを特徴とする蒸着方法。
【発明の詳細な説明】
【技術分野】
【０００１】
本発明は、蒸着マスクによる成膜パターンの蒸着膜を基板上に形成させる蒸着装置並びに蒸着方法に関するものである。
【背景技術】
【０００２】
近年、有機エレクトロルミネッセンス素子を用いた有機ＥＬ表示装置が、ＣＲＴやＬＣＤに替る表示装置として注目されている。
この有機ＥＬ表示装置は、基板に電極層と複数の有機発光層を積層形成し、更に封止層を被覆形成した構成であり、自発光で、ＬＣＤに比べて高速応答性に優れ、高視野角及び高コントラストを実現できるものである。
【０００３】
このような有機ＥＬデバイスは、一般に真空蒸着法により製造されており、真空チャンバー内で基板と蒸着マスクをアライメントして密着させ蒸着を行い、この蒸着マスクにより所望の成膜パターンの蒸着膜を基板に形成している。
【０００４】
また、このような有機ＥＬデバイスの製造においては、基板の大型化に伴い所望の成膜パターンを得るための蒸着マスクも大型化するが、この大型化のためには蒸着マスクにテンションをかけた状態でマスクフレームに溶接固定して製作しなければならないため、大型の蒸着マスクの製造は容易でなく、またこのテンションが十分でないとマスクの大型化に伴い、マスク中心に歪みが生じ蒸着マスクと基板の密着度が低下してしまうことや、これらを考慮するためにマスクフレームが大型となり、肉厚化や重量の増大が顕著となる。
【０００５】
このように、基板サイズの大型化に伴って蒸着マスクの大型化が求められているが、高精細なマスクの大型化は困難で、また製作できても前記歪みの問題によって実用上様々な問題を生じている。
【０００６】
また、例えば、特表２０１０−５１１７８４号などに示されるように、基板と蒸着マスクとを離間配設し、蒸発源と指向性を持った蒸発粒子を発生させる開口部により有機発光層を高精度に成膜させる方法もあるが、前記蒸発源と指向性を発生させる前記開口部が一体構造をしており、開口部から蒸発粒子を発生させるには前記一体構造を高温に加熱する構成となっているため、蒸発源からの輻射熱を蒸着マスクで受けることになり、蒸着マスクの熱膨張による成膜パターンの位置精度の低下を防ぐことができない。
【０００７】
また、特開２０１０−２７０３９６号には、蒸着源と蒸着マスクとの間の空間を、複数の蒸着空間に区画する構成で、複数の遮断壁を備える遮断壁アセンブリーを備えた薄膜蒸着装置が提案されている。この蒸着装置における遮断壁アセンブリーは高温の蒸着源に向かっており、最大で１００℃以上に温度が上昇するため、上昇した遮断壁アセンブリーの温度が蒸着マスクに伝導されないようにするために、遮断壁アセンブリーと蒸着マスクを分離している。しかし、蒸着マスクは高温の蒸着源に面しつづけているので、常に放射熱を受け、温度が上昇する。蒸着マスクの温度上昇は、蒸着マスクを引張状態に保持することで成膜パターンずれを抑制することができるが、蒸着マスクの温度上昇に伴い、マスクフレームも温度上昇することで、マスクフレームの熱膨張による成膜パターンずれが発生してしまう問題点がある。
【０００８】
発明者は、ＷＯ２０１２／１０８４２６号において、蒸発源から蒸発した成膜材料の蒸発粒子の飛散方向を制限する飛散制限部を有するマスクホルダーに、蒸着マスクを付設し、マスクホルダー若しくは蒸着マスクの少なくとも一方に蒸着マスクの温度を保持する温度制御機構を備えることで、マスクフレームの温度上昇を抑制し、マスクフレームの熱膨張による成膜パターンずれの発生を抑制できる蒸着装置を提案したが、マスクホルダーは内部の温度制御用（冷却用）の媒体路加工に時間を要し、製作が困難である。さらに、量産製造装置における蒸着マスクは、交換、洗浄時及び予備分を含めて複数枚用意する必要があるため、蒸着マスクを付設するマスクホルダーも同等の数を用意する必要があり、製作に時間を要し、高コストになるという問題点がある。
【先行技術文献】
【特許文献】
【０００９】
【特許文献１】特表２０１０−５１１７８４号公報
【特許文献２】特開２０１０−２７０３９６号公報
【特許文献３】ＷＯ２０１２／１０８４２６号公報
【発明の概要】
【発明が解決しようとする課題】
【００１０】
本発明は、このような様々な問題を解決し、基板の大型化に伴って蒸着マスクを同等に大型化せず基板より小形の蒸着マスクでも、基板を離間状態で相対移動させることで広範囲に蒸着マスクによる成膜パターンの蒸着膜を蒸着でき、また、離間状態のまま相対移動させることで構造も簡易で効率良くスピーディーに蒸着でき、また、離間状態のままでも制限用開口部を設けた飛散制限部を備えたマスクホルダーを蒸発源と蒸着マスクとの間に設けることで、蒸発粒子の飛散方向を制限して隣接する若しくは離れた位置の蒸発口部からの蒸発粒子を通過させず成膜パターンの重なりを防止すると共に、この制限用開口部を設けた飛散制限部を有するマスクホルダーに、蒸着マスクを付設したマスクフレームを接触させて配設した構成とすることで、温度制御部を有するマスクフレームホルダーの冷却効果をマスクフレームに伝導させることができ、マスクフレームの温度を一定に保持することが可能になり、例えば内部に媒体路を有するマスクフレームホルダーを複数個製作する必要がなくなるので、基板と蒸着マスクとを離間状態で相対移動させる構成でありながら、低コストで軽量なマスクフレームの温度上昇による蒸着パターンズレがない高精度な蒸着が行える蒸着装置並びに蒸着方法を提供することを目的としている。
【課題を解決するための手段】
【００１１】
添付図面を参照して本発明の要旨を説明する。
【００１２】
蒸発源１から気化した成膜材料を、蒸着マスク２のマスク開口部３を介して基板４上に堆積して、この蒸着マスク２により定められた成膜パターンの蒸着膜が基板４上に形成されるように構成し、前記蒸発源１とこの蒸発源１に対向状態に配設する前記基板４との間に、前記蒸発源１から蒸発した前記成膜材料の蒸発粒子の飛散方向を制限する制限用開口部５を設けた飛散制限部を備えたマスクホルダー６を配設し、このマスクホルダー６に前記基板４と離間状態に配設する前記蒸着マスク２を付設し、このマスクホルダー６に蒸着マスク２の温度を保持する温度制御機構９を備え、前記基板４を、前記蒸着マスク２を付設した前記マスクホルダー６及び前記蒸発源１に対して、前記蒸着マスク２との離間状態を保持したまま相対移動自在に構成して、この相対移動により前記蒸着マスク２より広い範囲にこの蒸着マスク２により定められる成膜パターンの蒸着膜が基板４上に形成されるように構成した蒸着装置であって、前記マスクホルダー６を、前記蒸着マスク２を付設するマスクフレーム６Ａと、前記飛散制限部を備えたマスクフレームホルダー６Ｂとに分割した構成として、このマスクフレームホルダー６Ｂに接触配設させた前記マスクフレーム６Ａを離脱させて取り外し自在に構成し、前記マスクフレームホルダー６Ｂに前記温度制御機構９を設けた構成としたことを特徴とする蒸着装置に係るものである。
【００１３】
また、減圧雰囲気とする成膜室７内に、前記成膜材料を収めた前記蒸発源１と、この蒸発源１の蒸発口部８から蒸発した前記成膜材料の蒸発粒子が通過する前記マスク開口部３を設けた前記蒸着マスク２とを配設し、前記蒸発口部８を複数並設し、前記蒸着マスク２と離間状態に位置合わせする基板４に、前記複数の蒸発口部８から飛散する蒸発粒子が前記マスク開口部３を通過して堆積し、蒸着マスク２により定められる成膜パターンの蒸着膜が前記基板４に形成されるように構成し、この蒸発源１とこの蒸発源１と対向状態に配設する前記基板４との間に、隣接する若しくは離れた位置の前記蒸発口部８からの蒸発粒子を通過させない前記制限用開口部５を設けた前記飛散制限部を構成する前記マスクフレームホルダー６Ｂを配設し、このマスクフレームホルダー６Ｂに、前記基板４と離間状態に配設する前記蒸着マスク２を接合させて付設したマスクフレーム６Ａを接触させて配設し、前記マスクフレームホルダー６Ｂに、前記マスクフレーム６Ａに付設した蒸着マスク２の温度上昇を抑制し温度を一定に保持する前記温度制御機構９を設け、前記基板４を、前記蒸着マスク２を付設した前記マスクフレーム６Ａ及び前記マスクフレームホルダー６Ｂ及び前記蒸発源１に対してこの蒸着マスク２との離間状態を保持したまま相対移動させて、この相対移動方向に前記蒸着マスク２の前記成膜パターンの蒸着膜を連続させて前記基板４より小さい前記蒸着マスク２でも広範囲に蒸着膜が形成されるように構成したことを特徴とする請求項１記載の蒸着装置に係るものである。
【００１４】
また、前記基板４の相対移動方向に対して直交する横方向に前記蒸発源１の前記蒸発口部８を複数並設すると共に、前記マスクホルダー６の前記マスクフレームホルダー６Ｂに、前記制限用開口部５を前記横方向に沿って複数並設して前記飛散制限部を構成し、前記各蒸発口部８から蒸発する蒸発粒子が、対向する前記制限用開口部５のみを通過し更にこの制限用開口部５と連通するフレーム開口部18を覆う前記蒸着マスク２の前記マスク開口部３を通過して前記基板４上にこのマスク開口部３により定められた前記成膜パターンの蒸着膜が形成され、隣り合う若しくは離れた位置の前記蒸発口部８からの蒸発粒子は付着捕捉されるようにして、前記飛散制限部により前記蒸発粒子の飛散方向が制限されるように構成したことを特徴とする請求項１，２のいずれか１項に記載の蒸着装置に係るものである。
【００１５】
また、前記マスクフレームホルダー６Ｂは、前記飛散制限部の前記制限用開口部５の前記蒸発源１側縁部に、前記蒸発粒子の付着捕捉面10を形成した構成としたことを特徴とする請求項１〜３のいずれか１項に記載の蒸着装置に係るものである。
【００１６】
また、前記マスクフレーム６Ａに、張力を付与して前記蒸着マスク２を張設したことを特徴とする請求項１〜４のいずれか１項に記載の蒸着装置に係るものである。
【００１７】
また、前記マスクフレーム６Ａに、前記基板４の相対移動方向に張力を付与して前記蒸着マスク２を張設したことを特徴とする請求項５記載の蒸着装置に係るものである。
【００１８】
また、前記マスクフレーム６Ａは、前記温度制御機構９を設けた前記マスクフレームホルダー６Ｂの前記基板４側端部に、離脱自在にしてマスクフレーム移動手段より取り外し自在に接触配設し、前記マスクフレームホルダー６Ｂに設けた前記温度制御機構９により前記マスクフレーム６Ａに張設した前記蒸着マスク２の温度を保持する構成とすると共に、この温度制御機構９を備えていない前記マスクフレーム６Ａを、この温度制御機構９を備えた前記マスクフレームホルダー６Ｂから取り外し自在に構成したことを特徴とする請求項１〜６のいずれか１項に記載の蒸着装置に係るものである。
【００１９】
また、前記蒸着膜を基板４上に形成する成膜室７と、前記基板４の搬送方向と直交する横方向に隣接して配設した交換室11とを設けて、この成膜室７と交換室11間で前記マスクフレーム６Ａを往来させ、このマスクフレーム６Ａに付設した前記蒸着マスク２を前記交換室11で交換自在となるように構成したことを特徴とする請求項７記載の蒸着装置に係るものである。
【００２０】
また、前記マスクフレーム６Ａは、前記成膜室７と前記交換室11とを往来移動させるための前記マスクフレーム移動手段が保持するための移動手段用凹部13を、前記基板４の搬送方向の前後に設けたことを特徴とする請求項８記載の蒸着装置に係るものである。
【００２１】
また、前記蒸着マスク２は、前記基板４の相対移動方向と直交する横方向に複数枚に分割した構成とし、この分割した蒸着マスク２を前記マスクフレーム６Ａに前記横方向に並設状態に付設したことを特徴とする請求項１〜９のいずれか１項に記載の蒸着装置に係るものである。
【００２２】
また、前記蒸発源１の前記蒸発口部８を前記基板４の相対移動方向と直交する横方向に複数並設し、この複数の蒸発口部８毎に夫々対向状態に前記制限用開口部５を設けた前記飛散制限部を備えた前記マスクホルダー６を、前記飛散制限部及び前記温度制御機構９を備えた前記マスクフレームホルダー６Ｂと、前記温度制御機構９を備えない前記マスクフレーム６Ａとに分断した構成として、前記マスクフレーム６Ａの前記制限用開口部５と連通する若しくは前記制限用開口部５の一部となるフレーム開口部18を覆うように前記蒸着マスク２を付設した前記マスクフレーム６Ａを、前記成膜室７内に固定した前記マスクフレームホルダー６Ｂの前記基板４側端部に、取り外し自在にして前記フレーム開口部18が前記制限用開口部５と連通するように接触配設した構成としたことを特徴とする請求項１〜１０のいずれか１項に記載の蒸着装置に係るものである。
【００２３】
また、前記マスクフレーム６Ａのフレーム開口部18間に、前記基板４側に延在する方向に突出するリブ部14を設け、このリブ部14の前記基板４側先端面と前記マスクフレーム６Ａの周辺部面に、前記制限用開口部５と連通するフレーム開口部18を覆うように配設する前記蒸着マスク２を支承するマスク取付支承面15を設けたことを特徴とする請求項１１記載の蒸着装置に係るものである。
【００２４】
また、前記マスクフレーム６Ａの前記リブ部14間に形成された前記フレーム開口部18と前記飛散制限部の制限用開口部５が連通するように構成し、この制限用開口部５と連通した開口部を形成する前記リブ部14の内側の開口部形成面積より、このリブ部14の前記基板４側先端面に設けられた前記マスク取付支承面15の面積の方が小さい形状となるように前記リブ部14を形成したことを特徴とする請求項１２記載の蒸着装置に係るものである。
【００２５】
また、前記温度制御機構９は、前記マスクフレームホルダー６Ｂの周辺部若しくは前記制限用開口部５間に、熱交換して温度制御される媒体を流通させる媒体路16を設けた構成としたことを特徴とする請求項１〜１３のいずれか１項に記載の蒸着装置に係るものである。
【００２６】
また、前記マスクフレーム６Ａと前記マスクフレームホルダー６Ｂとの間に、前記マスクフレーム６Ａ及び前記マスクフレームホルダー６Ｂより熱伝導率が高い部材で形成した熱伝導体17を介在して接触配設したことを特徴とする請求項１〜１４のいずれか１項に記載の蒸着装置に係るものである。
【００２７】
また、前記熱伝導体17は、銅、アルミニウム、銀、インジウム、モリブデン、タングステン、炭素、窒化アルミニウムの少なくとも１種類を含むことを特徴とする請求項１５記載の蒸着装置に係るものである。
【００２８】
また、前記成膜材料を、有機材料としたことを特徴とする請求項１〜１６のいずれか１項に記載の蒸着装置に係るものである。
【００２９】
また、前記請求項１〜１７のいずれか１項に記載の蒸着装置を用いて、前記基板４上に前記蒸着マスク２により定められた成膜パターンの蒸着膜を形成することを特徴とする蒸着方法に係るものである。
【発明の効果】
【００３０】
本発明は上述のように構成したから、基板の大型化に伴って蒸着マスクを同等に大型化せず基板より小形の蒸着マスクでも、基板を離間状態で相対移動させることで広範囲に蒸着マスクによる成膜パターンの蒸着膜を蒸着でき、また、離間状態のまま相対移動させることで構造も簡易で効率良くスピーディーに蒸着でき、また、離間状態のままでも制限用開口部を設けた飛散制限部を備えたマスクホルダーを蒸発源と蒸着マスクとの間に設けることで、蒸発粒子の飛散方向を制限して隣接する若しくは離れた位置の蒸発口部からの蒸発粒子を通過させず成膜パターンの重なりを防止すると共に、この制限用開口部を設けた飛散制限部を有するマスクホルダーに蒸着マスクを接触させて付設した構成とし、このマスクホルダーに蒸着マスクの温度を保持する温度制御機構を設けることで、このマスクホルダーは飛散制限部としてだけでなく蒸発源からの輻射熱の入射を抑制し蒸着マスク及びマスクホルダーの温度上昇を抑制する温度保持機能を発揮して、蒸着マスク及びマスクホルダーの温度を一定に保持させることができ、これにより蒸着マスクの熱による歪みを防止し、さらにこのマスクホルダーを、蒸着マスクを付設するマスクフレームと、飛散制限部及び温度制御機構を備えたマスクフレームホルダーとに分割した構成として、この温度制御機構を備えたマスクフレームホルダーに、マスクフレームを接触して配設し、交換時や洗浄時にこのマスクフレームホルダーからマスクフレームを離脱させて取り外し自在に構成したことで、低コストで軽量かつ交換が容易なマスクフレームを有するマスクホルダーとなり、基板と蒸着マスクとを離間状態で相対移動させる構成でありながら、高精度の蒸着が行える蒸着装置並びに蒸着方法となる。
【００３１】
特に有機ＥＬデバイスの製造にあたり、基板の大型化に対応でき、有機発光層の蒸着も精度良く行え、マスク接触による基板、蒸着マスク、蒸着膜の損傷も防止でき、基板より小さな蒸着マスクにより高精度の蒸着が実現できる有機ＥＬデバイス製造用の蒸着装置並びに蒸着方法となる。
【００３２】
また、請求項２，３記載の発明においては、一層本発明の作用・効果が良好に発揮され、一層実用性に優れた蒸着装置となる。
【００３３】
また、請求項４記載の発明においては、飛散制限部の蒸発源側に蒸発粒子の付着捕捉面を形成することで、飛散制限部の蒸発源側面に付着する蒸発粒子を低減することができ、長時間の連続蒸着が可能になる。
【００３４】
また、請求項５記載の発明においては、蒸着マスクに熱応力以上の張力を付与することで、蒸着マスクが温度上昇しても、蒸着マスクが撓むことなく、所望の成膜パターンを蒸着できる。
【００３５】
また、請求項６記載の発明においては、蒸着マスクに対して基板の相対移動方向に張力を付与するので、基板の相対移動方向と直交する横方向に、蒸着マスクの撓みによるマスク開口部の歪みがなくなり、成膜誤差を抑制できる。
【００３６】
また、請求項７記載の発明においては、マスクホルダーをマスクフレームとマスクフレームホルダーに分割して配設し、マスクフレームホルダーに温度制御機構を設け、この温度制御機構を設けていないマスクフレームをこれに接触配設して取り出し自在とすることで、蒸着マスクの温度上昇を抑制することができ、一方で、マスクフレームの構造を簡素化できるので、蒸着マスクのマスクフレームへの張設が容易になるなど一層本発明の作用・効果が良好に発揮され、極めて実用性に優れた蒸着装置となる。
【００３７】
また、請求項８記載の発明においては、蒸着マスクが付設されたマスクフレームが、成膜室と交換室とを往来できるようにすることで蒸着マスクの投入、取出しが容易となり、マスクフレームの交換に伴う成膜工程の停止時間が短くなり、蒸着装置の稼動率が向上する。
【００３８】
また、請求項９記載の発明においては、マスクフレームに移動手段用凹部を備えたことで、成膜室と交換室との移動するための（移動手段による）マスクフレームの保持が容易となる。
【００３９】
また、請求項１０記載の発明においては、複数枚に分割した小さな蒸着マスクでも大型の基板に成膜できるので、蒸着マスクの作成が容易となる。
【００４０】
また、請求項１１記載の発明においては、温度制御機構を備えたマスクフレームホルダーの基板側の端部に、マスクフレームを接触させて配設させることで、飛散制限機能を果たすと共にマスクフレームの熱がマスクフレームホルダーに伝導し、マスクフレームの温度上昇が抑制され、マスクフレームの熱膨張による成膜パターンずれを抑制することができる構成を、一層簡易な構成で容易に実現できる極めて実用性に優れた蒸着装置となる。
【００４１】
また、請求項１２記載の発明においては、マスクフレームに設けたリブ部によって、蒸着マスクの張力によるマスクフレームの変形が防止できると共に、蒸着マスクの張力が維持でき、かつ、マスク取付支承面を設けたことで、蒸着マスクのマスクフレームへの支承・接合が強固に行える。
【００４２】
また、請求項１３記載の発明においては、マスクフレームからマスクフレームホルダーへ効率的に熱が移動し、マスクフレームの温度上昇が一層抑制される。
【００４３】
また、請求項１４記載の発明においては、マスクフレームホルダーに温度制御機構として媒体路を設けることで、マスクフレームホルダーの温度制御が極めて良好にして容易に実現できる。
【００４４】
また、請求項１５記載の発明においては、マスクフレームの熱がマスクフレームホルダーへ伝導しやすくなり、一層マスクフレームの温度上昇を抑制することができる。
【００４５】
また、請求項１６記載の発明においては、マスクフレームの熱が一層マスクフレームホルダーへ伝導しやすくなる。
【００４６】
また、請求項１７記載の発明においては、有機材料の蒸発装置となり、一層実用性に優れる。
【００４７】
また、請求項１８記載の発明においては、前記作用・効果を発揮する優れた蒸着方法となる。
【図面の簡単な説明】
【００４８】
【図１】本実施例の要部の概略構成説明正断面図である。
【図２】本実施例のマスクフレームの説明斜視図である。
【図３】本実施例の分割構成の蒸着マスクの説明分解斜視図である。
【図４】本実施例のマスクフレームをマスクフレームホルダーから取り外し交換室と往来させることを示す概略構成説明正断面図である。
【図５】本実施例の説明側断面図である。
【図６】本実施例のマスクフレームホルダーの説明斜視図である。
【図７】本実施例のマスクフレームホルダーの媒体路の流通経路を示す説明平面図である。
【図８】本実施例の蒸発源側の体積が大きい形状とした飛散制限部を備えたマスクホルダーの別例を示す説明正断面図である。
【図９】本実施例の蒸発源側面に衝立部を設けたマスクホルダーの別例の説明正断面図である。
【図１０】本実施例のマスクフレームとマスクフレームホルダーの間に熱伝導体を挿設したマスクホルダーの別例を示す説明正断面図である。
【発明を実施するための形態】
【００４９】
好適と考える本発明の実施形態を、図面に基づいて本発明の作用を示して簡単に説明する。
【００５０】
図１において、蒸発源１から気化した成膜材料は、マスクホルダー６の制限用開口部５を通過、具体的には、マスクフレームホルダー６Ｂの飛散制限部の制限用開口部５及びマスクフレーム６Ａのフレーム開口部18を通過すると共に、このマスクフレーム６Ａに付設した蒸着マスク２のマスク開口部３を介して基板４上に堆積して、この蒸着マスク２により定められた成膜パターンの蒸着膜が基板４上に形成される。この際、基板４と蒸着マスク２とを離間状態に配設し、この基板４を、前記蒸着マスク２が付設されたマスクフレーム６Ａとマスクフレームホルダー６Ｂと蒸発源１に対して、蒸着マスク２との離間状態を保持したまま相対移動自在に構成して、この基板４を相対移動させることにより、蒸着マスク２自体よりも広い範囲にこの蒸着マスク２により定められる成膜パターンの蒸着膜が基板４上に形成される。また、この蒸着マスク２と蒸発源１との間に飛散制限部を備えたマスクホルダー６を設けて、具体的には蒸発源１から蒸発した成膜材料の蒸発粒子の飛散方向を制限する制限用開口部５を有する飛散制限部を備えたマスクフレームホルダー６Ｂを設けて、隣り合う若しくは離れた位置の蒸発口部８から射出された蒸発粒子を蒸着マスク２まで到達させず、蒸着マスク２と基板４とが離間状態にあっても成膜パターンの重なりを防止している。
【００５１】
また更に、この飛散制限部を構成するマスクフレームホルダー６Ｂに、蒸着マスク２を付設したマスクフレーム６Ａを接触させて配設した構成とし、そしてマスクフレームホルダー６Ｂには温度制御機構９を設けたから、蒸発源１からの輻射熱を受けてもマスクフレーム６Ａの温度を一定に保つことができる。即ち、接触して配設されたマスクフレーム６Ａの熱がマスクフレームホルダー６Ｂへ伝導し、マスクフレーム６Ａの温度上昇を抑制できることから、マスクフレーム６Ａが熱膨張してマスク開口部３の位置がずれて成膜パターンがずれることを防ぐことができる。
【００５２】
更に、マスクフレーム６Ａと蒸着マスク２は、外周部で接合され、更にフレーム開口部18間にも設けたマスク取付支承面15で接合若しくは接触する構成とすれば、蒸着マスク２の温度上昇は更に抑制できる。
【００５３】
従って、この飛散制限部を有するマスクフレームホルダー６Ｂは、蒸発粒子の飛散方向の制限機能と同時に温度保持機能をも果たし、マスクフレーム６Ａ及び蒸着マスク２の温度上昇を抑制でき、熱による蒸着マスク２の歪みも生じにくいこととなる。
【００５４】
また、マスクホルダー６を、このように温度制御機構９を備えたマスクフレーム６Ａと、蒸着マスク２を付設するマスクフレームホルダー６Ｂとに分割した構成とし、マスクフレームホルダー６Ｂからマスクフレーム６Ａを離脱させて取り外し自在に構成したから、頻繁に移動しかつ大量に製作するマスクフレームが、軽量で低コストに製作できる。
【００５５】
よって、基板４を、蒸着マスク２、この蒸着マスク２を付設したマスクフレーム６Ａ、温度制御機構９及び飛散制限部を備えたマスクフレームホルダー６Ｂ及び蒸発源１に対して、この蒸着マスク２との離間状態を保持したまま相対移動させることで、この相対移動方向に蒸着マスク２による成膜パターンの蒸着膜を連続させて基板４より小さい蒸着マスク２でも広範囲に蒸着膜が形成され、且つ隣り合う若しくは離れた位置の蒸発口部８からの蒸発粒子の入射による成膜パターンの重なりも、熱による歪みなども十分に抑制され、安価で高精度の蒸着が行える蒸着装置となる。
【実施例】
【００５６】
本発明の具体的な実施例について図面に基づいて説明する。
【００５７】
本実施例は、蒸発源１から気化した成膜材料（例えば、有機ＥＬデバイス製造のための有機材料）を、蒸着マスク２のマスク開口部３を介して基板４上に堆積して、この蒸着マスク２により定められた成膜パターンの蒸着膜が基板４上に形成されるように構成した蒸着装置において、前記蒸発源１から蒸発した前記成膜材料の蒸発粒子の飛散方向を制限する制限用開口部５を設けた飛散制限部を備えたマスクホルダー６を配設し、このマスクホルダー６に前記基板４と離間状態に配設する前記蒸着マスク２を付設し、このマスクホルダー６に蒸着マスク２の温度を保持する温度制御機構９を備え、前記基板４を、前記蒸着マスク２を付設した前記マスクホルダー６及び前記蒸発源１に対して、前記蒸着マスク２との離間状態を保持したまま相対移動自在に構成して、この相対移動により前記蒸着マスク２より広い範囲にこの蒸着マスク２により定められる成膜パターンの蒸着膜が基板４上に形成されるように構成している。
【００５８】
また、本実施例では、前記マスクホルダー６を、前記蒸着マスク２を付設するマスクフレーム６Ａと、前記飛散制限部を備えたマスクフレームホルダー６Ｂとに分割した構成として、このマスクフレームホルダー６Ｂに接触配設させた前記マスクフレーム６Ａを離脱させて取り外し自在に構成し、前記マスクフレームホルダー６Ｂに前記温度制御機構９を設けた構成としている。
【００５９】
即ち、本実施例では、この蒸着マスク２と蒸発源１との間に、横方向に複数並設した蒸発源１の蒸発口部８から蒸発した成膜材料の蒸発粒子の飛散方向を制限する制限用開口部５を前記蒸発口部８に対応するように横方向に複数並設して構成した前記飛散制限部を備えたマスクフレームホルダー６Ｂを設け、マスク開口部３へ入射する蒸発粒子の入射角度の大きい蒸発粒子を制限することで、各部材の熱膨張や搬送時のずれなどによる成膜パターンがずれた場合のずれ量が少なくなるように構成している。
【００６０】
また更に、この飛散制限部を備えたマスクフレームホルダー６Ｂに、蒸着マスク２を接合させて付設したマスクフレーム６Ａを接触させて配設し、またこのマスクフレームホルダー６Ｂに温度制御部９Ａを設けることで、マスクフレーム６Ａに温度制御機構９を備えなくても、マスクフレーム６Ａの熱がマスクフレームホルダー６Ｂへ伝導するように構成することで、このマスクフレームホルダー６Ｂは蒸発粒子の飛散方向の制限機能と同時に、マスクフレーム６Ａの冷却機能をも果たすようにしている。
【００６１】
更に説明すると、具体的には、減圧雰囲気とする成膜室７内（例えば真空チャンバー７内）に、前記成膜材料（例えば有機ＥＬデバイスの製造にあたっての有機材料）を収めた前記蒸発源１と、この蒸発源１の複数並設した蒸発口部８から蒸発する前記成膜材料の蒸発粒子が通過するマスク開口部３を設けた前記蒸着マスク２とを配設し、この蒸着マスク２と離間状態に位置合わせする基板４に、前記複数の蒸発口部８から飛散する蒸発粒子が前記マスク開口部３を通過して堆積し、蒸着マスク２により定められる成膜パターンの蒸着膜がこの基板４上に形成されるように構成し、この基板４と蒸発源１との間に隣り合う若しくは離れた位置の蒸発口部８からの蒸発粒子を通過させないようにする制限用開口部５を前記蒸発口部８と対向するように複数並設した飛散制限部を構成するマスクフレームホルダー６Ｂを配設し、このマスクフレームホルダー６Ｂに、基板４と離間状態に配設する前記蒸着マスク２を接合させて付設したマスクフレーム６Ａを接触させ配設し、このマスクフレームホルダー６Ｂに蒸発源１からの熱を吸収し、マスクフレーム６Ａの温度上昇を抑制する温度制御機構９を設けている。
【００６２】
即ち、前記基板４の相対移動方向に対して直交する横方向に前記蒸発源１の前記蒸発口部８を複数並設すると共に、前記マスクホルダー６の前記マスクフレームホルダー６Ｂに、前記蒸発口部８と対向するように前記制限用開口部５を前記横方向に複数並設して前記飛散制限部を構成し、前記各蒸発口部８から蒸発する蒸発粒子が、対向する前記制限用開口部５のみを通過し更にこの制限用開口部５と連通するフレーム開口部18を覆う前記蒸着マスク２の前記マスク開口部３を通過して、前記基板４上にこのマスク開口部３により定められた前記成膜パターンの蒸着膜が形成され、隣り合う若しくは離れた位置の前記蒸発口部８からの蒸発粒子は付着捕捉されるようにして、前記飛散制限部により前記蒸発粒子の飛散方向が制限されるように構成している。
【００６３】
また、前記マスクフレーム６Ａを、前記温度制御機構９を設けた前記マスクフレームホルダー６Ｂの前記基板４側端部に、離脱自在にしてマスクフレーム移動手段（不図示）により取り外し自在に接触配設し、前記マスクフレームホルダー６Ｂに設けた前記温度制御機構９により前記マスクフレーム６Ａに張設した前記蒸着マスク２の温度を保持する構成とすると共に、この温度制御機構９を備えていない前記マスクフレーム６Ａを、この温度制御機構９を備えた前記マスクフレームホルダー６Ｂから取り外し自在に構成している。
【００６４】
また、前記蒸着膜を基板４上に形成する成膜室７と、前記基板４の搬送方向と直交する横方向に隣接して配設した交換室11とを設けて、この成膜室７と交換室11間で前記マスクフレーム６Ａを往来させ、このマスクフレーム６Ａに付設した前記蒸着マスク２を前記交換室11で交換自在となるように構成している。
【００６５】
更に、マスクフレームホルダー６Ｂは、このようにマスクフレーム６Ａを配設する台座の役割も果たし、マスクフレーム６Ａとマスクフレームホルダー６Ｂとの外周部同士及びフレーム開口部18間に設けたリブ部14と制限用開口部５間とが互いに接触して保持されているため、熱伝導も一層良好となり、また基板４の搬送方向と直交する横方向に長いマスクフレーム６Ａが撓むことを防ぐことができる。
【００６６】
また、本実施例では、前記マスクフレーム６Ａに、前記基板４の相対移動方向に張力を付与して前記蒸着マスク２を張設している。
【００６７】
またこの蒸着マスク２は、このように蒸発源１の蒸発口部８と対向状態に配設されていて、蒸発源１からの輻射熱が直接入射され、且つ薄い金属箔で形成されていて熱容量が小さいため、蒸着中に温度が上昇し、熱膨張によりマスク開口部３が歪み成膜パターン精度が低下することを防ぐために、基板４の搬送方向に張力を付与している。
【００６８】
従って、蒸着マスク２の温度上昇を抑制できれば、蒸着マスク２に付与する張力が小さくすることができ、マスクフレーム６Ａが歪むことを一層防ぐことができる。
【００６９】
また、本実施例では、蒸着マスク２は、従来通りマスクフレーム６Ａ周辺部やフレーム開口部18間と接合されているが、前述のように蒸着マスク２より温度が低いマスクフレーム６Ａと接合しているため、蒸着マスク２の温度上昇が抑制されるように構成されている。
【００７０】
また、蒸着マスク２は、蒸着膜を堆積させ成膜パターンを形成する基板４が、例えば第５世代ガラス基板４（１１００ｍｍ×１３００ｍｍ）以降の大判になると、それに伴い基板４の相対移動方向と直交する横方向に大きく形成する必要があり、製作が困難である。よって、本実施例の蒸着マスク２は、基板４の相対移動方向と直交する横方向に制限用開口部５単位で複数枚に分割した構成とし、この分割した蒸着マスク２を、マスクフレーム６Ａの前記横方向に並設状態に付設し、マスクフレーム６Ａ周辺部で接合するが、フレーム開口部18間に設けたリブ部14の先端面に形成したマスク取付支承面15上でも、複数枚に分割した蒸着マスク２の側端部同士をつき合わせて接合するようにしてもよい。
【００７１】
また、本実施例では、前述のように前記マスクフレーム６Ａの前記制限用開口部５と連通し前記制限用開口部５の一部となる場合もあるフレーム開口部18を覆うように前記蒸着マスク２を付設した前記マスクフレーム６Ａを、前記成膜室７内に台座として設けた前記マスクフレームホルダー６Ｂの前記基板４側端部に、取り外し自在にして前記フレーム開口部18が前記制限用開口部５と連通するように接触配設した構成としている。
【００７２】
また、この前記マスクフレーム６Ａのフレーム開口部18間に、前記基板４側に延在する方向に突出する前記リブ部14を設け、このリブ部14の前記基板４側先端面と前記マスクフレーム６Ａの周辺部面に、前記制限用開口部５と連通するフレーム開口部18を覆うように配設する前記蒸着マスク２を支承する前記マスク取付支承面15を設けた構成としている。
【００７３】
従って、マスクフレーム６Ａのフレーム開口部18間に設けたリブ部14によって、蒸着マスク２の張力によるマスクフレーム６Ａの変形が防止できると共に、蒸着マスク２の張力が維持でき、且つ蒸発粒子の反射及び再蒸発などの予期せぬ成膜材料のマスク開口部３への入射を抑制している。
【００７４】
また、このマスクフレーム６Ａのリブ部14の形状は、基板４側の突出先端面に形成したマスク取付支承面15からマスクフレームホルダー６Ｂとの接触面にかけて三角形の形状としてもよいが、本実施例では、段差をつけた階段形状とすることで、加工性が大幅に向上し、安価に製作することができる。
【００７５】
また、前記マスクフレーム６Ａの前記リブ部14間に形成された前記フレーム開口部18が、前記飛散制限部の制限用開口部５の一部を形成するように構成しても良く、この制限用開口部５と連通する開口部を形成する前記リブ部14の内側の開口部形成面積より、このリブ部14の前記基板４側先端面に設けられた前記マスク取付支承面15の面積の方が小さい形状となるように前記リブ部14を形成している。
【００７６】
即ち、マスクフレーム６Ａは、リブ部14の先端面に設けられたマスク取付支承面15の面積より、この段差を付けた階段形状のリブ部14の内側の開口部形成面積の方が大きい形状に形成したことで、リブが強固になり一層マスクフレーム６Ａの変形が防止できると共に、マスクフレーム６Ａからマスクフレームホルダー６Ｂへ効率的に熱が移動し、マスクフレーム６Ａの温度上昇が一層抑制される。
【００７７】
また、前述のように、前記蒸着膜を基板４上に形成する成膜室７と、前記基板４の搬送方向と直交する横方向に隣接して配設した交換室11とを設けて、この成膜室７と交換室11間で前記マスクフレーム６Ａを往来させ、このマスクフレーム６Ａに付設した前記蒸着マスク２を前記交換室11で交換自在となるように構成し、前記マスクフレーム６Ａは、前記成膜室７と前記交換室11とを往来移動させるための前記マスクフレーム移動手段（不図示）を保持するための移動手段用凹部13を、前記基板４の搬送方向の前後に設けている。
【００７８】
具体的には、例えば広狭するロボットアームが係止して吊下げ搬送することができるようにマスクフレーム６Ａの前後の辺面に凹条を形成して前記移動手段用凹部13を形成している。
【００７９】
更に説明すると、成膜パターンを連続して蒸着していると、蒸着マスク２に蒸着膜が堆積してマスク開口部３が狭まり、基板４上に所望の成膜パターンが形成できなくなるため、蒸着マスク２が付設したマスクフレーム６Ａは定期的に交換しなくてはならず、図４に示すように、本実施例では、成膜室７の基板４の搬送方向と直交する横方向に交換室11を備えている。定期的に交換されるマスクフレーム６Ａが、交換後にマスクフレームホルダー６Ｂ上の同じ位置に配設されるように、マスクフレームホルダー６Ｂには位置決めピン12が設けられている。
【００８０】
更に、マスクフレーム６Ａ交換時の位置決め精度を向上させるために、マスクフレームホルダー６Ｂに押し当て部材21を設けて、マスクフレーム６Ａを押し当て部材21に当ててから、位置決めピン12にはめるようにすることで、位置決め精度を１００μｍ以下にすることができる。
【００８１】
また、蒸着中に頻繁に交換が必要で、成膜室７と交換室11とを往復する蒸着マスク２が付設したマスクフレーム６Ａは、マスクフレームホルダー６Ｂのように熱交換して温度制御される媒体を流通させる媒体路16を有する温度制御機構９を備えることが困難なため、マスクフレームホルダー６Ｂの温度保持効果を間接的に伝えることで、蒸着マスク２及びマスクフレーム６Ａの温度上昇を抑制するように構成している。
【００８２】
更に、前述のようにマスクフレーム６Ａに移動手段用凹部13を備えたことで、成膜室７と交換室11との移動するための移動手段が、マスクフレーム６Ａを保持しやすくなる。
【００８３】
更に具体的に説明すると、本実施例は例えば図５に示すように、中央にホスト用と、基板４の搬送方向の前後にドーパント用を備えた蒸発源１があり、その周囲に反射板が複数枚配設されていて、反射板の周囲を水冷板が備えられている構造とした場合、その蒸発源１の基板４側上部に前記マスクフレームホルダー６Ｂを配設し、更にこのマスクフレームホルダー６Ｂの上部に前記マスクフレーム６Ａを接触して配設し、この蒸発源１、マスクフレームホルダー６Ｂ及び蒸着マスク２が付設されたマスクフレーム６Ａからなる蒸発源集合体は、蒸着装置の外に設けられたアライメントステージに連結されていて、マスクフレーム移動手段がマスクフレーム６Ａの移動手段用凹部13を保持したら、蒸発源集合体が基板４の搬送方向と直交する直交方向に下降することで、マスクフレーム６Ａと蒸発源集合体が切り離され、マスクフレーム６Ａの交換が可能となるように構成しても良い。
【００８４】
また、前記温度制御機構９は、前記マスクフレームホルダー６Ｂの周辺部若しくは前記制限用開口部５間に、熱交換して温度制御される媒体を流通させる媒体路16を設けた構成としている。
【００８５】
具体的には、図６に示すように、マスクフレームホルダー６Ｂの基板４の搬送方向側の両面に、媒体が流通する面を設け、飛散制限部内部、即ち周辺部及び制限用開口部５間に媒体路16を夫々二段備え、媒体が漏れないように両面に不図示の蓋を溶接し密閉構造とし、この内部媒体路16に媒体を流通させて冷却機能を果たす構成とした温度制御機構９をこのマスクフレームホルダー６Ｂに設けている。
【００８６】
また、媒体が媒体路16を流通する経路を図７に示す。マスクフレームホルダー６ＢのＩＮ側の配管から進入した媒体は、壁面の媒体路16を満たしながらこの飛散制限部内に設けられた媒体路16を通過し、反対面の媒体路16に到達する過程を繰り返すことで、マスクフレームホルダー６Ｂ内部に設けられた媒体路16の空間に隙間なく媒体が満たされ、マスクフレームホルダー６Ｂの温度保持機能を一層高めることができる。
【００８７】
また、図８に示すように、マスクフレームホルダー６Ｂの飛散制限部の形状を、飛散制限部の体積が蒸発源１側程大きい形状とすることで、基板４側の媒体路16よりも、蒸発源１に近いことによる輻射熱の影響が大きい蒸発源１側の媒体路16の媒体接触面積が大きくなるように構成して、熱吸収能力を高め、温度保持機能を向上させている。
【００８８】
また、この図８に示すように、前記マスクフレームホルダー６Ｂは、前記飛散制限部の前記制限用開口部５の前記蒸発源１側縁部に、前記蒸発粒子の付着捕捉面10を形成した構成としている。
【００８９】
具体的には、蒸発源側に向かって端部をハ字状に形成して、各制限用開口部５の蒸発源側端部に、夫々外方に向いた付着捕捉面10をハ字状（逆Ｖ字状）に形成し、隣り合う蒸発口部８からの蒸発粒子に対向してこれを良好に捕捉できるように隣りの蒸発口部８に向くように傾斜した付着捕捉面10を形成している。
【００９０】
また、図９に示すように、マスクフレームホルダー６Ｂの飛散制限部の蒸発源１側の面に、基板４の搬送方向の垂直方向に衝立部19を設けることで、蒸発粒子が大量に付着することを防ぎ、且つ隣接する蒸発口部８から射出された蒸発粒子が制限用開口部５に進入し、蒸発源１からの再蒸発及び飛散制限部からの反射などによる予期せぬ角度からマスク開口部３へ蒸発粒子が入射することを防ぐことができる。
【００９１】
また、本実施例では、真空チャンバー７外に設けられた温度制御手段と、マスクフレームホルダー６Ｂに設けられた媒体を流通させる媒体路16が、真空チャンバー７壁面に設けられたフランジを介して配管で接続されているため、温度制御手段（例えばサーモチラー）内部に備えられている熱交換部20によって、マスクフレームホルダー６Ｂ内を通過して温度が上昇した媒体は設定温度になり、設定温度になった媒体がまたマスクフレームホルダー６Ｂ内へ入っていく過程が繰り返されるため、マスクフレームホルダー６Ｂの温度を一定に保持することができる。
【００９２】
また、図１０に示すように、蒸着マスク２が付設されたマスクフレーム６Ａとマスクフレームホルダー６Ｂを接触させて配設される際に、熱伝導率が高い部材で形成した熱伝導体17を挿設することで、マスクフレーム６Ａの熱をマスクフレームホルダー６Ｂ側に効率よく伝導させることができ、マスクフレーム６Ａの温度上昇を一層抑制できる。
【００９３】
具体的に言うと、マスクフレームホルダー６Ｂの基板４側マスクフレーム接触面に、銅、アルミニウム、銀、インジウム、モリブデン、タングステン、炭素、窒化アルミニウムの少なくとも１種類を含む熱伝導率が高いシート状部材を前記熱伝導体17として配設するようにしてもよいし、マスクホルダー６の基板４側若しくはマスクフレーム６Ａの蒸発源１側の少なくとも一方の接触面に、上述した熱伝導率が高い金属で、溶射などの手法によって皮膜を形成する表面処理を施すように熱伝導体17を設けてもよい。
【００９４】
尚、本発明は、本実施例に限られるものではなく、各構成要件の具体的構成は適宜設計し得るものである。
【符号の説明】
【００９５】
１  蒸発源
２  蒸着マスク
３  マスク開口部
４  基板
５  制限用開口部
６  マスクホルダー
６Ａ  マスクフレーム
６Ｂ  マスクフレームホルダー
７  成膜室
８  蒸発口部
９  温度制御機構
10  付着捕捉面
11  交換室
13  移動手段用凹部
14  リブ部
15  マスク取付支承面
16  媒体路
17  熱伝導体
18  フレーム開口部
【図１】
2014065936.tif 000003
【図２】
2014065936.tif 000004
【図３】
2014065936.tif 000005
【図４】
2014065936.tif 000006
【図５】
2014065936.tif 000007
【図６】
2014065936.tif 000008
【図７】
2014065936.tif 000009
【図８】
2014065936.tif 000010
【図９】
2014065936.tif 000011
【図１０】
2014065936.tif 000012